(57)【特許請求の範囲】
【請求項１】
縦部材に接合されるブラケットと躯体に固定されるファスナー間に挟まれた状態で双方に接合されて縦部材の鉛直性を調整する調整部材であり、該調整部材は前記ブラケット側にブラケットに接触する凸曲面部を有し、その断面の一部に、ファスナーを貫通する仮止めねじが螺入するねじ溝がファスナー側の面からブラケット側の中途の深さまで、長手方向に連続して形成され、ねじ溝のファスナー側の上下に、ブラケットとファスナーを貫通するボルトの径より大きい幅のバリ回避用溝がファスナー側の面から、長手方向に連続して形成され、前記ねじ溝の断面の幅は前記仮止めねじの軸部の径に対応した大きさであり、調整部材自身はファスナーをその側から貫通する仮止めねじでファスナーに仮止めされた状態で、ファスナーに対して長手方向に位置調整可能とされているカーテンウォールの縦部材取付位置調整部材。
【請求項２】
上部に、ファスナーの上端部に下向きに係合する係合部を有している請求項１記載のカーテンウォールの縦部材取付位置調整部材。
【請求項３】
上部のブラケット側に、ブラケットに螺入する高さ調整ボルトに係合可能な受け片が上向きに突設されている請求項１、もしくは請求項２記載のカーテンウォールの縦部材取付位置調整部材。
【発明の詳細な説明】
【０００１】
【発明の属する技術分野】
この発明は方立や縦枠等の縦部材に取り付けたブラケットが接触する凸曲面を備え、この凸曲面により縦部材の鉛直性を調整するカーテンウォールの縦部材取付位置調整部材に関するものである。
【０００２】
【従来の技術及び発明が解決しようとする課題】
カーテンウォールの方立や縦枠等の縦部材はその鉛直性を確保する上で、床スラブ等の躯体に直接，または間接的に固定されているファスナーの縦部材側に接合され、縦部材側の面が凸曲面となった調整部材に、縦部材に接合されたブラケットを接触させ、カーテンウォールの面内水平軸回りの角度を調整した状態でファスナーに支持される。
【０００３】
調整部材はファスナーの一部として形成される場合もあるが、ブラケットに接触する面を凸曲面にする関係から、実登 2503833号のように調整部材をファスナーとは別体で製作する場合には、ブラケットの高さと角度の調整時に調整部材をファスナーにねじや溶接により仮止めしておく必要がある。
【０００４】
調整部材の仮止めをねじによって行う場合、調整部材にはブラケットをファスナーに接合するボルト用のボルト孔の他に、仮止めねじ用のねじ孔を明けなければならないため、加工数が増える問題がある。
【０００５】
この発明は上記背景より、調整部材をファスナーにねじにより仮止めする場合に、ねじ溝等を形成するための加工数を削減し、仮止めを容易に行える調整部材を提案するものである。
【０００６】
【課題を解決するための手段】
本発明ではブラケットに接触する凸曲面部の断面の一部に、ファスナーを貫通する仮止めねじが螺入するねじ溝を調整部材の長手方向に連続して形成することにより、調整部材を押出し成形するのみでねじ溝を形成することを可能にし、仮止めねじ用の孔明け加工を不要にし、加工数を削減する。
【０００７】
ねじ溝の断面の幅は仮止めねじの軸部の径に対応した大きさで、ねじ溝は凸曲面部の厚さ方向にはファスナー側の面からブラケット側の中途の深さまで形成され、押出し成形されることで調整部材の長手方向に連続して形成される。
【０００８】
調整部材は、仮止めねじがファスナーを貫通して調整部材のねじ溝に螺入することで容易にファスナーに仮止めされる。調整部材のねじ溝は調整部材の長手方向に連続して形成されているため、仮止めねじをねじ溝に螺入させ、調整部材をファスナーに仮止めした状態では、ファスナーに対して調整部材をその長手方向に位置調整することができる。
【０００９】
調整部材は方立や縦枠等の縦部材に接合されるブラケットと、床スラブ等の躯体に固定されるファスナー間に挟まれた状態で双方に接合され、ブラケット側の面が凸の曲面となった凸曲面部の曲面にブラケットが接触することで縦部材の鉛直性を調整する。
【００１０】
調整部材はブラケットとファスナーを貫通するボルトにより双方に接合されるため、ファスナーと調整部材の、仮止めねじを外した位置にボルト孔を明ける必要があるが、ファスナーのボルト孔を躯体側から明けた場合には、ファスナーの調整部材側の面にバリが突出し、このバリにより調整部材とファスナーの密着性が悪くなる。
【００１１】
この問題に対しては、ねじ溝のファスナー側の上下に、ブラケットとファスナーを貫通するボルトの径より大きい幅のバリ回避用溝をファスナー側の面から形成することで、ファスナーのバリと調整部材との接触を回避し、調整部材のファスナー側の面が、ファスナーの調整部材側のボルト孔回りの面に完全に密着する状態を確保する。バリ回避用溝はねじ溝が押出し成形時に形成されることに対応し、調整部材の長手方向に連続して形成される。
【００１２】
請求項２に記載のように調整部材の上部に、ファスナーの上端部に下向きに係合する係合部を形成した場合には、仮止め時に調整部材をファスナーに支持させた状態にできるため、調整部材を安定させた状態で仮止めねじによるファスナーへの仮止めが行える。
【００１３】
請求項３に記載のように上部のブラケット側に、ブラケットに螺入する高さ調整ボルトに係合可能な受け片を上向きに突設した場合には、高さ調整ボルトの調整部材からの脱落が防止される。
【００１４】
【発明の実施の形態】
この発明の調整部材１は図２〜図４に示すように方立，または縦枠等の縦部材２に接合されるブラケット３と、床スラブや梁等の躯体４に固定されるファスナー５間に挟まれた状態で双方に接合され、ブラケット３側にブラケット３に接触する凸曲面部10を有し、この凸曲面部10により縦部材２の鉛直性を調整するものである。
【００１５】
ファスナー５は図示するように躯体４に定着された埋込みファスナー９に接合されることにより、あるいは直接アンカーで定着されることにより躯体４に固定される。
【００１６】
図示する場合、ファスナー５の、カーテンウォール面外方向の位置調整は、ファスナー５の長孔状のボルト孔5bの範囲でファスナー５が埋込みファスナー９に対して調整されることで行われ、カーテンウォール面内水平方向の位置調整は、埋込みファスナー９の長孔状のボルト孔9aの範囲でファスナー５が埋込みファスナー９に対して調整されることで行われる。
【００１７】
調整部材１は図１，図３に示すようにファスナー５側の面が平坦面で、ブラケット３側に、ブラケット３側の面が凸の曲面となった凸曲面部10を有し、上部に、ファスナー５の上端部に下向きに係合する鉤形の係合部1aを有する形状をする。調整部材１の上部のブラケット３側には後述の高さ調整ボルト８の脱落防止のための受け片1eが上向きに突設される。
【００１８】
調整部材１はファスナー５に対しては、ファスナー５側の面がファスナー５に密着し、係合部1aがファスナー５の上端に載った状態で仮止めねじ７により仮止めされる。
【００１９】
ブラケット３は図２，図３に示すように調整部材１のブラケット３側に形成された凸曲面部10の曲面に接触することにより縦部材２の鉛直性を確保し、調整部材１の係合部1aの上方でブラケット３に鉛直方向に螺入し、調整部材１の係合部1aに突き当たる高さ調整ボルト８の螺入長さが調整されることで縦部材２の高さを調整する。
【００２０】
調整部材１の凸曲面部10の断面の一部にはファスナー５を貫通する仮止めねじ７が螺入するねじ溝1bがファスナー５側の面からブラケット３側の中途の深さまで形成される。調整部材１はねじ溝1bを有する断面で、アルミニウム合金等を押出し成形した後、ある長さで切断されることにより製作され、ねじ溝1bは同一断面のまま調整部材１の長手方向に連続する。
【００２１】
ねじ溝1bの断面の幅は仮止めねじ７の軸部の径に対応した大きさで、ねじ溝1bの断面は基本的に図５に示すように仮止めねじ７の軸部のピッチに対応して山と谷が交互に配列した形をする。
【００２２】
調整部材１にはまた、ファスナー５とブラケット３を貫通するボルト６が挿通するボルト孔1cが形成される。ボルト孔1cは仮止めねじ７の位置を外した、ファスナー５のボルト孔5aに対応した位置に形成される。図面ではカーテンウォールの面内水平方向に縦部材２の位置調整が可能なように、図４に示すようにボルト孔1c，5aを横方向に長孔状に形成している。
【００２３】
ねじ溝1bのファスナー３側の上下には、ファスナー３のボルト孔5aを躯体４側から明けた場合に、ファスナー３の調整部材１側の面に突出するバリと、調整部材１との接触を回避するために、ボルト６の径より大きい幅のバリ回避用溝1dが形成される。バリ回避用溝1dはファスナー５側の面から、バリとの衝突を回避できる程度の深さを持ち、ねじ溝1bと共に長手方向に連続して形成される。
【００２４】
調整部材１は図１に示すようにファスナー５をその側から貫通する仮止めねじ７がねじ溝1bに螺入することによりファスナー５に仮止めされ、その状態で図３に示すように縦部材２に接合されているブラケット３と調整部材１及びファスナー５の各ボルト孔3a，1c，5aにボルト６が挿通し、ナット6aが締め付けられることによりブラケット３とファスナー５に接合される。
【００２５】
調整部材１は、ファスナー５に仮止めされた状態では、ねじ溝1bが同一断面のまま連続することで、ファスナー５に対して長手方向に位置調整される。
【００２６】
【発明の効果】
ブラケットに接触する凸曲面部の断面の一部に、ファスナーを貫通する仮止めねじが螺入するねじ溝を調整部材の長手方向に連続して形成するため、調整部材を押出し成形し、所定長さに切断するのみでねじ溝を形成することが可能であり、仮止めねじ用の孔明け加工が不要になり、加工数を削減できる。
【００２７】
調整部材のねじ溝は調整部材の長手方向に連続して形成されているため、仮止めねじをねじ溝に螺入させ、調整部材をファスナーに仮止めした状態において、ファスナーに対して調整部材をその長手方向に位置調整することができる。
【００２８】
また、ねじ溝のファスナー側の上下にファスナーとブラケットを貫通するボルトの径より大きい幅のバリ回避用溝を形成することで、ファスナーのバリと調整部材との接触を回避するため、調整部材のファスナー側の面と、ファスナーのボルト孔回りの面との密着性を確保できる。
【００２９】
請求項２では調整部材の上部に、ファスナーの上端部に下向きに係合する係合部を形成するため、仮止め時に調整部材をファスナーに支持させた状態にすることができ、調整部材を安定させた状態で仮止めねじによるファスナーへの仮止めが行える。
【００３０】
請求項３では上部のブラケット側に、ブラケットに螺入する高さ調整ボルトに係合可能な受け片を上向きに突設するため、高さ調整ボルトの調整部材からの脱落を防止できる。
【図面の簡単な説明】
【図１】ファスナーに調整部材が仮止めされた状態を示した縦断面図である。
【図２】ファスナーとブラケット及び調整部材の関係を示した斜視図である。
【図３】図２の縦断面図である。
【図４】図３に直交する方向の図２の縦断面図である。
【図５】ねじ溝の形状例を示した縦断面図である。
【符号の説明】
１……調整部材、10……凸曲面部、1a……係合部、1b……ねじ溝、1c……ボルト孔、1d……バリ回避用溝、1e……受け片、２……縦部材、３……ブラケット、４……躯体、５……ファスナー、5a……ボルト孔、5b……ボルト孔、６……ボルト、6a……ナット、７……仮止めねじ、８……高さ調整ボルト、９……埋込みファスナー、9a……ボルト孔。
【図１】
0003558851.tif 000002
【図２】
0003558851.tif 000003
【図３】
0003558851.tif 000004
【図４】
0003558851.tif 000005
【図５】
0003558851.tif 000006